(57)【要約】【課題】  スライドショーと呼ばれる画像表示機能の使い勝手を良くする。【解決手段】  ＬＣＤ部１０７及び表示装置２０に表示される画像データが静止画データである場合、その画像データはユーザによって選択された時間だけ表示される。一方、ＬＣＤ部１０７及び表示装置２０に表示される画像データが動画データである場合、その画像データは最後まで表示される。但し、下ボタンＢ６が押された場合、ＬＣＤ部１０７及び表示装置２０には次の画像データが表示される。【選択図】  図１
2005110088.tif 000002
【特許請求の範囲】
【請求項１】
記憶媒体に記録された複数の画像データを表示手段に連続的に表示する画像表示機能を制御する制御手段を有し、
前記制御手段は、前記表示手段に表示される画像データが静止画データである場合は、前記画像データを前記表示手段に所定時間表示し続ける処理を制御し、前記表示手段に表示される画像データが動画データである場合は、前記画像データの次の画像データを前記表示手段に表示する指示を検出するまで前記画像データを前記表示手段に表示する処理を制御することを特徴とする画像処理装置。
【請求項２】
前記制御手段は、ユーザからの指示に従って前記複数の画像データを表示する方向を順方向又は逆方向に変更することを特徴とする請求項１に記載の画像表示装置。
【請求項３】
前記制御手段は、ユーザからの指示に従って前記所定時間を変更することを特徴とする請求項１又は２に記載の画像表示装置。
【請求項４】
前記制御手段は、ユーザからの指示に従って前記画像表示機能を繰り返し実行することを特徴とする請求項１〜３の何れか１項に記載の画像表示装置。
【請求項５】
前記記憶媒体は、取り外し可能な記憶媒体であることを特徴とする請求項１〜４の何れか１項に記載の画像表示装置。
【請求項６】
記憶媒体に記録された複数の画像データを表示手段に連続的に表示する画像表示機能を制御する制御手段を有する画像処理装置において実行される画像処理方法であって、
前記表示手段に表示される画像データが静止画データである場合は、前記画像データを前記表示手段に所定時間表示し続ける処理を制御する工程と、
前記表示手段に表示される画像データが動画データである場合は、前記画像データの次の画像データを前記表示手段に表示する指示を検出するまで前記画像データを前記表示手段に表示する処理を制御する工程とを有することを特徴とする画像処理方法。
【請求項７】
ユーザからの指示に従って前記複数の画像データを表示する方向を順方向又は逆方向に変更する工程を更に有することを特徴とする請求項６に記載の画像表示方法。
【請求項８】
ユーザからの指示に従って前記所定時間を変更する工程を更に有することを特徴とする請求項６又は７に記載の画像表示方法。
【請求項９】
ユーザからの指示に従って前記画像表示機能を繰り返し実行する工程を更に有することを特徴とする請求項６〜８の何れか１項に記載の画像表示方法。
【請求項１０】
前記記憶媒体は、取り外し可能な記憶媒体であることを特徴とする請求項６〜９の何れか１項に記載の画像表示方法。
【発明の詳細な説明】
【技術分野】
【０００１】
本発明は、記憶媒体（例えば、メモリカード）内の画像データ（静止画データ及び動画データを含む）を連続的に表示する画像表示機能（スライドショー、オートプレイなどと呼ばれる機能）を有する画像表示装置、画像表示方法及びプログラムなどに関する。
【背景技術】
【０００２】
近年のデジタルカメラには、スライドショー（またはオートプレイ）と呼ばれる画像表示機能がついている。この機能は、メモリカード内の画像を所定の再生時間（表示時間ともいう。以下、同じ。）ごとに自動的に再生し、ＬＣＤ（Liquid Crystal Display）などに表示する機能である。
【０００３】
例えば、特許文献１では、動画の表示中に再生ボタンを押した場合、その動画を最後まで再生するスライドショーを記載している。
【特許文献１】特願２００２−２９６１２２号公報
【発明の開示】
【発明が解決しようとする課題】
【０００４】
これまでのデジタルカメラのスライドショーは、再生時間が決まっていたため、動画の一部しか再生できない場合があった。つまり、動画データの記録時間が再生時間よりも長い場合、動画の最初の部分しかＬＣＤに表示できなかった。そのため、スライドショー中に所望の動画を最後まで視聴したい場合があっても、それができなかった。
【０００５】
本発明は、このような問題を解決しようとするものであり、記憶媒体（例えば、メモリカード）内の複数の画像データ（静止画データ及び動画データを含む）を連続的に表示する画像表示機能（スライドショー、オートプレイなどと呼ばれる機能）の使い勝手を良くすることを目的とする。
【課題を解決するための手段】
【０００６】
本発明の画像表示装置は、記憶媒体に記録された複数の画像データを表示手段に連続的に表示する画像表示機能を制御する制御手段を有し、前記制御手段は、前記表示手段に表示される画像データが静止画データである場合は、前記画像データを前記表示手段に所定時間表示し続ける処理を制御し、前記表示手段に表示される画像データが動画データである場合は、前記画像データの次の画像データを前記表示手段に表示する指示を検出するまで前記画像データを前記表示手段に表示する処理を制御することを特徴とする。
【０００７】
本発明の画像表示方法は、記憶媒体に記録された複数の画像データを表示手段に連続的に表示する画像表示機能を制御する制御手段を有する画像処理装置において実行される画像処理方法であって、前記表示手段に表示される画像データが静止画データである場合は、前記画像データを前記表示手段に所定時間表示し続ける処理を制御する工程と、前記表示手段に表示される画像データが動画データである場合は、前記画像データの次の画像データを前記表示手段に表示する指示を検出するまで前記画像データを前記表示手段に表示する処理を制御する工程とを有することを特徴とする。
【発明の効果】
【０００８】
本発明によれば、記憶媒体（例えば、メモリカード）内の複数の画像データ（静止画データ及び動画データを含む）を連続的に表示する画像表示機能の使い勝手を良くすることができる。
【発明を実施するための最良の形態】
【０００９】
以下、図面を参照し、本発明に好適な実施の形態を説明する。
【００１０】
［第１の実施の形態］
図１は、第１の実施の形態における撮像装置１０の主要な構成要素を説明する図である。図１に示す撮像装置１０は、デジタルカメラ、デジタルビデオカメラ、カメラ付き携帯電話、カメラ付き携帯端末などの装置である。
【００１１】
図１において、１０１は、撮像素子（ＣＣＤセンサ、ＣＭＯＳセンサなど）などを用いて光学像を画像データに変換する撮像部である。１０２は、撮像部１０１から出力された画像データから所定のフォーマット（ＪＰＥＧ、ＪＰＥＧ−２０００など）に準拠した静止画データを有する画像ファイルを生成する機能を有する静止画処理部である。１０３は、撮像部１０１から出力された画像データから所定のフォーマット（Ｍｏｔｉｏｎ  ＪＰＥＧ、ＭＰＥＧ−４など）に準拠した動画データを有する画像ファイルを生成する機能を有する動画処理部である。なお、動画データは、音声付き動画データであっても、音声なし動画データであってもよい。
【００１２】
１０４は、静止画処理部１０２又は動画処理部１０３から出力された画像ファイルをメモリカード３０に保存する機能と、システムコントローラ１０８によって選択された画像ファイル（静止画データ又は動画データを含む）をメモリカード３０から読み出す機能とを有するメモリカードインターフェースである。３０は、ランダムアクセス可能であり、取り外し可能な記憶媒体を有するメモリカード（リムーバブルメディアともいう）である。
【００１３】
１０５は、静止画処理部１０２から出力された静止画データをアナログ映像信号に変換して外部に出力する機能と、動画処理部１０３から出力された動画データをアナログ映像信号に変換して外部に出力する機能とを有するアナログインターフェースである。２０は、アナログインターフェースから出力されたアナログ映像信号を表示する表示器を有する表示装置である。
【００１４】
１０６は、ＥＶＦ（Electronic View Finder）を有するＥＶＦ部である。１０７は、ＬＣＤ（Liquid Crystal Display）を有するＬＣＤ部である。ＬＣＤ部１０７の表示画面のサイズは、ＥＶＦ部１０６の表示画面のサイズよりも大きいものとする。
【００１５】
１０８は、撮像装置１０の動作を制御するシステムコントローラである。システムコントローラ１０８は、システムコントローラ１０８で実行可能なプログラムを記録したメモリ１０８１を有する。メモリ１０８１には、第１の実施の形態における画像表示機能の一つであるスライドショーを制御するためのプログラムが記録されている。
【００１６】
１０９は、ユーザによって入力された指示をシステムコントローラ１０８に通知する操作部である。操作部１０９は、静止画撮影ボタンＢ１、動画撮影ボタンＢ２、モード変更ボタンＢ３、ＭＥＮＵボタンＢ４、上ボタンＢ５、下ボタンＢ６、右ボタンＢ７、左ボタンＢ８、ＯＫボタンＢ９などを有する。静止画撮影ボタンＢ１は、静止画データの生成及び保存を指示するためのボタンである。動画撮影ボタンＢ２は、動画データの生成及び保存を指示するためのボタンである。モード変更ボタンＢ３は、撮像装置１０の動作モードを撮影モード又は再生モードに変更するためのボタンである。撮影モードとは、静止画データ又は動画データの生成及び保存を実行するための動作モードである。再生モードとは、メモリカード３０内の画像ファイル（静止画データ又は動画データを含む）をＥＶＦ部１０６、ＬＣＤ部１０７及び表示装置２０に表示するための動作モードである。ＭＥＮＵボタンＢ４は、メニュー画面の表示などを指示するためのボタンである。
【００１７】
１１０は、表示画像、表示方向、表示時間及びリピートに関する設定を記憶するメモリである。
【００１８】
撮影モードであるときに静止画撮影ボタンＢ１が押されたことを検出した場合、システムコントローラ１０８は、撮像装置１０を制御して静止画データの生成及び保存を実行する。この場合、静止画処理部１０２は、撮像部１０１から出力された画像データから所定のフォーマットに準拠した静止画データを有する画像ファイルを生成する。メモリカードインターフェース１０４は、静止画処理部１０２で生成された画像ファイルをメモリカード３０に保存する。
【００１９】
撮影モードであるときに動画撮影ボタンＢ２が押されたことを検出した場合、システムコントローラ１０８は、撮像装置１０を制御して動画データの生成及び保存を実行する。この場合、動画処理部１０３は、撮像部１０１から出力された画像データから所定のフォーマットに準拠した動画データを有する画像ファイルを生成する。メモリカードインターフェース１０４は、動画処理部１０３で生成された画像ファイルをメモリカード３０に保存する。
【００２０】
撮像装置１０の動作モードが再生モードであり、且つ、ＬＣＤ部１０７がＯＮであるときにＭＥＮＵボタンＢ４が押された場合、ＬＣＤ部１０７及び表示装置２０は、再生モード用のメニュー画面３０Ａ（図３参照）を表示する。再生モード用のメニュー画面３０Ａ内の「スライドショー」が選択され、ＯＫボタンＢ９が押された場合、ＬＣＤ部１０７及び表示装置２０は、スライドショー用のメニュー画面３０Ｂ（図３参照）を表示する。
【００２１】
メニュー画面３０Ｂ内の「表示画像」では、スライドショーで表示すべき画像データを選択することができる。「全て」が選択された場合、ＬＣＤ部１０７又は表示装置２０は、メモリカード３０に保存されている全ての画像データを連続的に表示する。「フォルダ」が選択された場合、ＬＣＤ部１０７又は表示装置２０は、ユーザによって選択されたフォルダ内の全ての画像データを連続的に表示する。表示画像に関する設定は、メモリ１１０に記憶される。
【００２２】
メニュー画面３０Ｂ内の「表示時間」では、表示時間Ｔ（１つの画像データを表示する時間）を選択することができる。第１の実施の形態では、３、５、１０、１５、２０、２５、３０秒の何れかを選択することができる。表示時間Ｔに関する設定は、メモリ１１０に記憶される。
【００２３】
メニュー画面３０Ｂ内の「表示方向」では、スライドショーの表示方向を選択することができる。「順方向」が選択された場合、ＬＣＤ部１０７又は表示装置２０は、フォルダ名及びファイル名の小さい順に画像データを表示する。「逆方向」が選択された場合、ＬＣＤ部１０７又は表示装置２０は、フォルダ名及びファイル名の大きい順に画像データを表示する。表示方向に関する設定は、メモリ１１０に記憶される。
【００２４】
メニュー画面３０Ｂ内の「リピート」では、リピートモードの有効又は無効を選択することができる。リピートモードが有効である場合、スライドショーはＭＥＮＵボタンＢ４が押されるまで繰り返し実行される。一方、リピートモードが無効である場合、スライドショーは１回で終了する。「ＯＮ」が選択された場合、システムコントローラ１０８は、リピートモードを有効とする。「ＯＦＦ」が選択された場合、システムコントローラ１０８は、リピートモードを無効とする。リピートに関する設定は、メモリ１１０に記憶される。
【００２５】
メニュー画面３０Ｂ内の「スタート」では、スライドショーの開始を指示することができる。「スタート」が選択された状態でＯＫボタンＢ９が押されると、システムコントローラ１０８はスライドショーを開始する。
【００２６】
撮像装置１０は、ＡＣ電源で駆動することも、バッテリで駆動することも可能な携帯機器である。撮像装置１０は、バッテリの消費電力を削減するために、ユーザがＬＣＤ部１０７をＯＮにした場合、ＥＶＦ部１０６をＯＦＦにし、ユーザがＬＣＤ部１０７をＯＦＦにした場合、ＥＶＦ部１０６をＯＮにする機能を有する。この機能は、システムコントローラ１０８によって制御される。
【００２７】
また、撮像装置１０は、スライドショーが開始されてから終了するまでの間、節電機能（撮像部１０１、ＥＶＦ部１０６、ＬＣＤ部１０７などに出力される電力を削減し、撮像装置１０の消費電力を下げる機能）をＯＦＦにする機能を有する装置である。この機能は、スライドショーの中断を防止するのに有効な機能であり、システムコントローラ１０８によって制御される機能である。
【００２８】
また、撮像装置１０は、ＤＣＦ（参考文献：Design Rule for Camera File System, version 1.0, JEIDA-49-2-1998, Japan Electronic Industry Development Association, Dec. 1998）に準拠する装置である。
【００２９】
図４は、メモリカード３０に保存されたフォルダ及びファイルの一例を示す図である。
【００３０】
図４において、「ＤＣＩＭ」、「１０１×××××」及び「１０２×××××」はフォルダである。「ＩＭＧ＿０１０１．ＪＰＧ」、「ＩＭＧ＿０１０２．ＪＰＧ」、「ＩＭＧ＿０１０５．ＪＰＧ」〜「ＩＭＧ＿０１０７．ＪＰＧ」、「ＩＭＧ＿０１１０．ＪＰＧ」、「ＩＭＧ＿０２０２．ＪＰＧ」〜「ＩＭＧ＿０２０５．ＪＰＧ」及び「ＩＭＧ＿０２０７．ＪＰＧ」〜「ＩＭＧ＿０２１０．ＪＰＧ」は、静止画データを有するファイルである。「ＭＶＩ＿０１０３．ＡＶＩ」、「ＭＶＩ＿０１０８．ＡＶＩ」、「ＭＶＩ＿０２０１．ＡＶＩ」及び「ＭＶＩ＿０２０６．ＡＶＩ」は、動画データを有するファイルである。「ＭＶＩ＿０１０３．ＴＨＭ」、「ＭＶＩ＿０１０８．ＴＨＭ」、「ＭＶＩ＿０２０１．ＴＨＭ」及び「ＭＶＩ＿０２０６．ＴＨＭ」は、「ＭＶＩ＿０１０３．ＡＶＩ」、「ＭＶＩ＿０１０８．ＡＶＩ」、「ＭＶＩ＿０２０１．ＡＶＩ」及び「ＭＶＩ＿０２０６．ＡＶＩ」に対応するサムネイル画像を有するファイルである。
【００３１】
図２は、第１の実施の形態における撮像装置１０の画像表示機能の一つであるスライドショーの処理手順を説明するフローチャートである。撮像装置１０のスライドショーは、ＬＣＤ部１０７がＯＮである場合に実行することができる機能である。
【００３２】
ステップＳ２０１：システムコントローラ１０８は、ユーザがスライドショーの開始を指示したか否かを判別する。スライドショーの開始が指示されたことを検出した場合はステップＳ２０２に進む。
【００３３】
ステップＳ２０２：システムコントローラ１０８は、最初に表示すべき画像データを有する画像ファイルを選択し、選択した画像ファイルの読み出しをメモリカードインターフェース１０４に要求する。なお、最初の画像データは、表示画像及び表示方向の設定に応じて適宜選択される。最初の画像データが静止画データである場合、システムコントローラ１０８は、現在選択されている表示時間Ｔのカウントダウンを開始する。メモリカードインターフェース１０４は、システムコントローラ１０８によって要求された画像ファイルをメモリカード３０から読み出し、読み出した画像ファイルを静止画処理部１０２又は動画処理部１０３に出力する。最初の画像データが静止画データである場合、静止画処理部１０２は、画像ファイル内の静止画データをデコードし、デコードした静止画データをＬＣＤ部１０７及びアナログインターフェース１０５に出力する。また、静止画処理部１０２は、カウントダウン中の表示時間Ｔを示す情報をデコード後の静止画データにスーパーインポーズする。一方、最初の画像データが動画データである場合、動画処理部１０３は、画像ファイル内の動画データをデコードし、デコードした動画データをＬＣＤ部１０７及びアナログインターフェース１０５に出力する。また、動画処理部１０３は、動画データの全表示時間及び表示済み時間を示す情報をデコード後の動画データにスーパーインポーズする。ＬＣＤ部１０７は、静止画処理部１０２から出力された静止画データ又は動画処理部１０３から出力された動画データを表示する。アナログインターフェース１０５は、静止画処理部１０２から出力された静止画データ又は動画処理部１０３から出力された動画データをアナログ映像信号に変換する。アナログインターフェース１０５に表示装置２０が接続されていれば、表示装置２０はアナログインターフェース１０５から出力されたアナログ映像信号を表示することができる。
【００３４】
ステップＳ２０３：システムコントローラ１０８は、左ボタンＢ８が押された否かを判別する。左ボタンＢ８が押されたことを検出した場合はステップＳ２０４に進み、それ以外の場合はステップＳ２０５に進む。
【００３５】
ステップＳ２０４：システムコントローラ１０８は、表示方向を逆方向に変更し、表示方向が逆方向に変更されたことをメモリ１１０に格納する。
【００３６】
ステップＳ２０５：システムコントローラ１０８は、右ボタンＢ７が押されたか否かを判別する。右ボタンＢ７が押されたことを検出した場合はステップＳ２０６に進み、それ以外の場合はステップＳ２０７に進む。
【００３７】
ステップＳ２０６：システムコントローラ１０８は、表示方向を順方向に変更し、表示方向が順方向に変更されたことをメモリ１１０に格納する。
【００３８】
ステップＳ２０７：システムコントローラ１０８は、上ボタンＢ５が押されたか否かを判別する。上ボタンＢ５が押されたことを検出した場合はステップＳ２０８に進み、それ以外の場合はステップＳ２０９に進む。
【００３９】
ステップＳ２０８：システムコントローラ１０８は、表示時間Ｔを次に大きい値に変更し、変更後の表示時間Ｔをメモリ１１０に格納する。例えば、表示時間Ｔが３秒である場合、システムコントローラ１０８は、表示時間Ｔを３秒から５秒に変更する。
【００４０】
ステップＳ２０９：システムコントローラ１０８は、ＬＣＤ部１０７及び表示装置２０に表示されている画像データの種別を判別する。ＬＣＤ部１０７及び表示装置２０に表示されている画像データが静止画データである場合はステップＳ２１０に進み、ＬＣＤ部１０７及び表示装置２０に表示されている画像データが動画データである場合はステップＳ２１２に進む。
【００４１】
ステップＳ２１０：システムコントローラ１０８は、下ボタンＢ６が押されたか否かを判別する。下ボタンＢ６が押されたことを検出した場合はステップＳ２１４に進み、それ以外の場合はステップＳ２１１に進む。下ボタンＢ６が押されたことを検出した場合、システムコントローラ１０８は、静止画データの表示を停止し、次の画像データにスキップする。
【００４２】
ステップＳ２１１：システムコントローラ１０８は、表示時間Ｔが０になったか否かを判別する。表示時間Ｔが０になったことを検出した場合はステップＳ２１４に進み、それ以外の場合はステップＳ２０３に進む。
【００４３】
ステップＳ２１２：システムコントローラ１０８は、下ボタンＢ６が押されたか否かを判別する。下ボタンＢ６が押されたことを検出した場合はステップＳ２１４に進み、それ以外の場合はステップＳ２１３に進む。下ボタンＢ６が押されたことを検出した場合、システムコントローラ１０８は、動画データの表示を停止し、次の画像データにスキップする。
【００４４】
ステップＳ２１３：システムコントローラ１０８は、動画データを最後まで表示したか否かを判別する。動画データを最後まで表示した場合はステップＳ２１４に進み、まだ最後まで表示していない場合はステップＳ２０３に進む。このよに、第１の実施の形態におけるスライドショーでは、下ボタンＢ６が押されたことを検出しない限り、システムコントローラ１０８は動画データを最後まで表示する。
【００４５】
ステップＳ２１４：システムコントローラ１０８は、次に表示すべき画像データがメモリカード３０内に存在するか否かを判別する。次の画像データが存在する場合はステップＳ２１５に進み、次の画像データが存在しない場合（表示すべき画像を全て表示した場合）はステップＳ２１６に進む。「表示画像」が「全ての画像」に設定されている場合、システムコントローラ１０８は、メモリカード３０内の全ての画像データを表示し終えた後にステップＳ２１６に進む。また、「表示画像」が「フォルダ」に設定されている場合、システムコントローラ１０８は、ユーザによって選択されたフォルダ内の全ての画像データを表示し終えた後にステップＳ２１６に進む。
【００４６】
ステップＳ２１５：システムコントローラ１０８は、次の画像データを有する画像ファイルを選択し、選択した画像ファイルの読み出しをメモリカードインターフェース１０４に要求する。なお、次の画像データは、表示画像及び表示方向の設定に応じて適宜選択される。次の画像データが静止画データである場合、システムコントローラ１０８は、現在選択されている表示時間Ｔのカウントダウンを開始する。メモリカードインターフェース１０４は、システムコントローラ１０８によって要求された画像ファイルをメモリカード３０から読み出し、読み出した画像ファイルを静止画処理部１０２又は動画処理部１０３に出力する。次の画像データが静止画データである場合、静止画処理部１０２は、画像ファイル内の静止画データをデコードし、デコードした静止画データをＬＣＤ部１０７及びアナログインターフェース１０５に出力する。また、静止画処理部１０２は、カウントダウン中の表示時間Ｔを示す情報をデコード後の静止画データにスーパーインポーズする。一方、次の画像データが動画データである場合、動画処理部１０３は、画像ファイル内の動画データをデコードし、デコードした動画データをＬＣＤ部１０７及びアナログインターフェース１０５に出力する。また、動画処理部１０３は、動画データの全表示時間及び表示済み時間を示す情報をデコード後の動画データにスーパーインポーズする。ＬＣＤ部１０７は、静止画処理部１０２から出力された静止画データ又は動画処理部１０３から出力された動画データを表示する。アナログインターフェース１０５は、静止画処理部１０２から出力された静止画データ又は動画処理部１０３から出力された動画データをアナログ映像信号に変換する。アナログインターフェース１０５に表示装置２０が接続されていれば、表示装置２０はアナログインターフェース１０５から出力されたアナログ映像信号を表示することができる。
【００４７】
ステップＳ２１６：システムコントローラ１０８は、リピートモードがＯＮであるか否かを判別する。リピートモードがＯＮである場合はステップＳ２０２に進み、リピートモードがＯＦＦである場合はステップＳ２１７に進む。リピートモードがＯＮである場合、システムコントローラ１０８は、最初の画像データからの表示を開始する。
【００４８】
ステップＳ２１７：システムコントローラ１０８は、スライドショーを自動的に終了する。
【００４９】
なお、各ステップにおいて、システムコントローラ１０８はＭＥＮＵボタンＢ４が押し下げられたか否かを判別する。そして、ＭＥＮＵボタンＢ４が押されたことを検出した場合、システムコントローラ１０８はスライドショーを終了する。
【００５０】
このように、撮像装置１０のスライドショーによれば、動画データの表示中に下ボタンＢ６が押されれば、次の画像データを自動的に表示することができ、動画データの表示中に下ボタンＢ６が押されなければ、動画データを最後まで表示することができる。
【００５１】
また、撮像装置１０のスライドショーによれば、静止画データの表示中に下ボタンＢ６が押されれば、次の画像データを自動的に表示することができ、静止画データの表示中に下ボタンＢ６が押されなければ、表示時間Ｔが経過するまで静止画データを表示し続けることができる。
【００５２】
また、撮像装置１０のスライドショーによれば、スライドショー中であってもメモリカード３０内の画像データの表示方向を変更することができるので、スライドショーをより使いやすくすることができる。
【００５３】
また、撮像装置１０のスライドショーによれば、スライドショー中であっても表示時間Ｔを変更することができるので、スライドショーをより使いやすくすることができる。
【００５４】
また、撮像装置１０のスライドショーによれば、静止画データを表示している場合、カウントダウン中の表示時間Ｔを示す情報を表示することもできるので、表示時間Ｔの残りの時間をユーザにわかりやすく通知することができる。
【００５５】
また、撮像装置１０のスライドショーによれば、動画データを表示している場合、その動画データの全表示時間及び表示済み時間を示す情報を表示することもできるので、その動画データの残りの表示時間をユーザにわかりやすく通知することができる。
【００５６】
［第２の実施の形態］
第１の実施の形態におけるスライドショーは、メモリカード３０内の全ての画像データ（静止画データ及び動画データを含む）及び音声データを順方向又は逆方向に連続的に再生する画像表示機能に変更することも可能である。この場合、撮像装置１０は、動画データと同じように音声データを処理すればよい。つまり、撮像装置１０は、下ボタンＢ６が押されるまで、音声データから復元された音声を出力し続け、ＬＣＤ部１０７には音声データの出力中であることを示す情報を表示すればよい。
【図面の簡単な説明】
【００５７】
【図１】第１の実施の形態における撮像装置１０の主要な構成を説明する図である。
【図２】第１の実施の形態におけるスライドショーの処理手順を説明するフローチャートである。
【図３】再生モード用のメニュー画面及びスライドショー用のメニュー画面の一例を示す図である。
【図４】メモリカード３０に保存されたフォルダ及びファイルの一例を示す図である。
【符号の説明】
【００５８】
１０  撮像装置（画像処理装置）
２０  表示装置
３０  メモリカード（記憶媒体）
１０１  撮像部
１０２  静止画処理部
１０３  動画処理部
１０４  メモリカードインターフェース
１０５  アナログインターフェース
１０６  ＥＶＦ部
１０７  ＬＣＤ部
１０８  システムコントローラ
１０９  操作部
１１０  メモリ
【図１】
2005110088.tif 000003
【図２】
2005110088.tif 000004
【図３】
2005110088.tif 000005
【図４】
2005110088.tif 000006